(57)【要約】【課題】水滴からの錆による電気機器の故障、破損を防止し、溜まった水滴も回収可能にする。【解決手段】電気機器の結露を防止するための加熱装置と、電気機器および加熱装置とを内蔵する屋根部付き筐体と、屋根部内側に配した加熱装置によって暖めた水蒸気は通過でき、通過後冷却された水滴は通過できない大きさの複数の孔を有する平板とを備え、平板を水平に対して傾斜させて配し、水滴が筐体内側側面に流れ落ちるようにして電気機器に水滴が当たらないようにした。【選択図】図１ 
2005228780.tif 000002
【特許請求の範囲】
【請求項１】
電気機器と、前記電気機器の結露を防止するための加熱装置と、前記電気機器および前記加熱装置とを内蔵する屋根部付き筐体と、前記屋根部内側に配した複数の孔を有する平板とを備えた屋外配置型電気機器収納装置。
【請求項２】
平板は、加熱装置によって暖めた水蒸気は通過でき、通過後冷却された水滴は通過できない大きさの複数の孔を有する請求項１記載の屋外配置型電気機器収納装置。
【請求項３】
平板は、直径が３ｍｍ±０．５ｍｍの範囲である複数の孔を有する請求項２記載の屋外配置型電気機器収納装置。
【請求項４】
平板は、千鳥状に配した複数の孔を有する請求項１から３のいずれかに記載の屋外配置型電気機器収納装置。
【請求項５】
平板は、水平に対して傾斜させて配し、水滴が前記平板の上面を傾斜させた下部の方向に流れるようにした請求項１から４のいずれかに記載の屋外配置型電気機器収納装置。
【請求項６】
平板は、傾斜させた下部の端部が筐体の内側側面付近となるように配し、前記平板上にたまった水滴が前記筐体底部の内側側面部近くに落ちるようにした請求項５記載の屋外配置型電気機器収納装置。
【請求項７】
筐体は、底部の平板から水滴が落ちる位置付近に、脱着可能な水溜め部を設けた請求項６記載の屋外配置型電気機器収納装置。
【発明の詳細な説明】
【技術分野】
【０００１】
本発明は屋外に設置される電気機器収納装置に関するものである。
【背景技術】
【０００２】
近年、受配電設備等の屋外に設置する大型電気機器が、大規模店舗や工場はもとより、小規模店舗、一般家庭にまで広がっている。そして、電気機器が屋外にあることにより寒冷期や雨期に発生する結露を防ぐことが必要であり、これを対処する方法が従来より提案されている。
【０００３】
図３は従来の屋外設置型電気機器収納装置の内部を示す概略図であり、１は収納装置内の結露防止の為に設けた加熱装置、２は収納装置に内蔵する電気機器、３は筐体、４は筐体を構成する屋根部、５は筐体内の水蒸気、６は水蒸気５が冷却されてできる水滴を示す。
【０００４】
このような従来の屋外設置型電気機器収納装置において、筐体３には電気機器２が内蔵されており、図では簡略化しているが、この収納装置が高圧受配電設備である場合、電気機器２はトランス、遮断機、コンデンサ、避雷器等で構成される。そしてこの筐体３内で発生する湿気は収納装置内で電気機器２に結露するのを防止するための加熱装置１により熱せられ、水蒸気５となって上昇させられることで筐体内の温度を所定温度以上にでき、低温時や高湿時の結露を防止できる。なおこの加熱装置１は、たとえば商用電源を供給源とする電熱装置である。
【０００５】
また、特許文献１に示す従来の屋外設置型電気機器収納装置においては、筐体底板の周縁に上端部を有し、下方に向かって内方に傾斜する斜面を有する水切りを備え、屋根部に付着した底部に落ちて溜まる水滴を筐体底部のコーナに水滴が滞留しないようにしてさびの発生を防止する技術が示されている。
【特許文献１】実開平２−４９３０３号公報（図１）
【発明の開示】
【発明が解決しようとする課題】
【０００６】
しかしながら、上記した従来の屋外設置型電気機器収納装置では、加熱装置によって筐体内を加熱することで、電気機器への結露は防止できるものの、過熱されて生じる水蒸気が上昇して収納装置の屋根部に付着する。そして付着した水蒸気は筐体の上部で冷却され、だんだんと大きくなり水滴となっていき、さらに重力によってその水滴は自重で落下し、下部に配置されている電気機器に水滴が当たる可能性が高い。さらに電気機器に当たった水滴はやがて電気機器の金属部分に錆を発生させて、電気機器の故障、破損の原因となる。また、特許文献１に示す従来の屋外設置型電気機器収納装置おいては筐体底部コーナに水が溜まらないようにしているが、底部にたまった水分が多いときにそれを取り除くことができず、自然乾燥に委ねるのみであった。
【０００７】
本発明は上記課題を解決するもので、水滴からのサビによる電気機器の故障、破損を防止し、溜まった水滴も回収可能にするものである。
【課題を解決するための手段】
【０００８】
本発明は上記目的を達成する為に  電気機器と、電気機器の結露を防止するための加熱装置と、電気機器および加熱装置とを内蔵する屋根部付き筐体と、屋根部内側に配した複数の孔を有する平板とを備えた屋外配置型電気機器収納装置である。
【０００９】
さらに本発明の屋外配置型電気機器収納装置において、平板は、加熱装置によって暖めた水蒸気は通過でき、通過後冷却された水滴は通過できない大きさの複数の孔を有するものである。
【００１０】
また本発明の屋外配置型電気機器収納装置において、平板は、直径が３ｍｍ±０．５ｍｍの範囲である複数の孔を有するものである。
【００１１】
また本発明の屋外配置型電気機器収納装置において、平板は、千鳥状に配した複数の孔を有するものである。
【００１２】
また本発明の屋外配置型電気機器収納装置において、平板は、水平に対して傾斜させて配し、水滴が前記平板の上面を傾斜させた下部の方向に流れるようにしたものである。
【００１３】
また本発明の屋外配置型電気機器収納装置において、平板は、傾斜させた下部の端部が筐体の内側側面付近となるように配し、平板上にたまった水滴が前記筐体底部の内側側面部近くに落ちるようにしたものである。
【００１４】
さらに本発明の屋外配置型電気機器収納装置において、筐体は、底部の平板から水滴が落ちる位置付近に、脱着可能な水溜め部を設けたものである。
【発明の効果】
【００１５】
上記の説明から明らかなように、本発明は、筐体内で温められた水蒸気が水滴となって電気機器に落下する事はなくなり、その結果電気機器に錆は発生せず、錆による電気機器の故障、破損を防止できる電気機器収納装置を提供できる。
【発明を実施するための最良の形態】
【００１６】
（実施の形態１）
本発明の実施の形態１について図１および図２を用いて説明する。
【００１７】
図１は本実施の形態における屋外設置型電気機器収納装置をの内部を示す概略図であり、７は筐体３上部の屋根部４に設けた平板、８は筐体３の側面底部に設けた水溜部、９は平板に設けた孔を示す。なおその他の構成については図３に示す従来例のものと同一であるので同一符号を付して重複する説明を省略する。
【００１８】
上記した構成による図１で示す本実施の形態の屋外設置型電気機器収納装置において、図３で示す従来例と異なるのは、筐体３上部の屋根部４の内側に孔９を有する平板７を設けた点、および収納装置下部の、筐体３の底部に水溜部８を設けた点である。
【００１９】
そして従来例と同様、筐体３内に備えた加熱装置１により筐体内が熱せられ、空気中の水分すなわち湿気が水蒸気５となって上昇し、平板７に設けられた孔９を通過して、屋根部４に付着する。
【００２０】
この平板５は、図２で示すように千鳥状に半径２．５ｍｍ〜３．５ｍｍまでの円状のもので複数個の孔９を有する金属製または樹脂製のものである。なお、この孔９の半径は、種々実験を試み、水蒸気は通すが、自然状態では水滴は通過せず平板の表面を流れていく大きさを見出して決定したものである。また孔を千鳥状に配置することで孔の数量を多くして孔の面積を最大限にし、筐体内の水蒸気ができるだけ多く孔を通過できるようにしている。
【００２１】
さらに屋根部４に付着した水蒸気５はだんだんと大きくなり水滴６となっていき、さらに重力によって水滴６は自重で落下し下部の平板７に当たる。そして、平板７は、上面を水滴が流れるように、水平に対して傾斜させて配置しており、平板７に当たった水滴６は平板７の孔９から通過して落下することはなく、平板７の傾斜に拠って図１の矢印６ａの方向に流れ落ち、水溜部８に集められる。
【００２２】
なお、平板７は傾斜させた下部の端部が筐体３の内側側面付近となるように配し、平板７の傾斜させた上面を流れた水滴がちょうど水溜部８に落ちるように筐体３の底部の内側側面付近に水溜部８を配置する。
【００２３】
なお、この水溜部８は金属製または樹脂製であり、脱着可能としている。また水溜部８は、図１で示すように収納装置を空間部を有する台座１０に設置するものとし、空間部に筐体底部から突出させたものにするとスペースの有効利用できる。
【００２４】
このように、上記した本実施の形態による屋外設置型電気機器収納装置においては、平板を設けていなかった従来の収納装置ではいたるところに落下していた水滴が一ヶ所に集められ、電気機器に水滴があたることを抑制できる。また一ヶ所に集められた水溜部の水は取り外し可能とする事で、簡単に除水が可能となる。
【産業上の利用可能性】
【００２５】
本発明の屋外設置型電気機器収納装置は、電気機器に水滴があたらないようにして電気機器の防錆ができ、屋外に配置する電気機器の分野に有用である。
【図面の簡単な説明】
【００２６】
【図１】本発明の実施の形態１における屋外設置型電気機器収納装置の内部を示す概略図
【図２】本発明の実施の形態１における平板を示す図
【図３】従来の屋外設置型電気機器収納装置の内部を示す概略図
【符号の説明】
【００２７】
１  加熱装置
２  電気機器
３  筐体
４  屋根部
７  平板
８  水溜部
９  孔
【図１】
2005228780.tif 000003
【図２】
2005228780.tif 000004
【図３】
2005228780.tif 000005